(57)【要約】【課題】  リール回転時及び停止時において良好な視認性を確保するとともに、装置の大型化を回避し、更には、図柄の完全な立体化も可能にする。【解決手段】  外周部に複数の図柄が配列されたリール３１を有し、当該リール３１の回転により図柄の可変表示を行うドラムユニット（遊技機用可変表示装置）３０であって、リール３１の外周部に、図柄が描かれた図柄部材３２を吊り下げ状に設けるとともに、当該図柄部材３２を遊技機表面を向いたままの状態で吊り下げ姿勢に保ちながら、リール３１を回転させ、図柄の可変表示を行う。【選択図】      図３
2006334209.tif 000002
【特許請求の範囲】
【請求項１】
外周部に複数の図柄が配列されたリールを有し、当該リールの回転により図柄の可変表示を行う遊技機用可変表示装置であって、
前記リールの外周部に、図柄が描かれた図柄部材を吊り下げ状に設け、
当該図柄部材を吊り下げ姿勢に保ちながら、前記リールを回転させることを特徴とする遊技機用可変表示装置。
【請求項２】
前記図柄部材は、所定の吊り下げ姿勢を保つためのウェイト部を備える請求項１記載の遊技機用可変表示装置。
【請求項３】
前記図柄部材は、当該図柄部材の正面部に前記ウェイト部が所定の角度をもって配設される請求項２記載の遊技機用可変表示装置。
【請求項４】
前記図柄部材は、前記リールの外周部に備えられた支点に回転可能に吊り下げられるとともに、各図柄部材の回転半径が、隣接する支点間隔のほぼ１／２に設定され、隣接する各図柄部材が干渉せずに配設される請求項１乃至３のいずれかに記載の遊技機用可変表示装置。
【請求項５】
前記図柄部材は、正面に図柄が描かれたプレート部材である請求項１乃至４のいずれかに記載の遊技機用可変表示装置。
【請求項６】
前記図柄部材は、立体的な図柄を示す立体物である請求項１乃至５のいずれかに記載の遊技機用可変表示装置。
【請求項７】
外周部に複数の図柄が配列されたリールを有し、当該リールの回転により図柄の可変表示を行う可変表示装置を備える遊技機であって、
前記可変表示装置が、請求項１乃至６のいずれかに記載の遊技機用可変表示装置からなることを特徴とする遊技機。
【発明の詳細な説明】
【技術分野】
【０００１】
本発明は、リールの回転により図柄の可変表示を行う遊技機用可変表示装置と、遊技機用可変表示装置を備えるスロットマシン、パチンコ機などの遊技機に関する。
【背景技術】
【０００２】
外周部に複数の図柄が配列されたリールを有し、当該リールの回転により図柄の可変表示を行う遊技機用可変表示装置が知られている（例えば、特許文献１−３参照）。
この種の遊技機用可変表示装置は、スロットマシン、パチンコ機などの遊技機に設けられ、遊技上重要な表示（例えば、大当り抽選の結果表示）を行うため、良好な視認性が要求される。特に、スロットマシンでは、可変図柄を見ながら所定のタイミングでストップボタンを押す、いわゆる「目押し」が行われるので、より良好な視認性が求められている。
【０００３】
特許文献１、２には、図柄を立体的に視認させる遊技機用可変表示装置が記載されている。
特許文献１では、リールの周面を隆起させており、また、特許文献２では、複数の図柄層を積層させることにより、図柄を立体的に視認させる。
これにより、図柄の視認性を向上させたり、遊技者の注意を引き付けることができるとしている。
【０００４】
また、特許文献３には、フラップ式の遊技機用可変表示装置が記載されている。この遊技機用可変表示装置は、リール（ドラム）の外周部に回動自在に支持された複数のフラップを有し、対となるフラップの対向面に図柄が描かれている。リールを回転させると、複数のフラップがリール正面でパタパタと反転回動し、図柄が可変表示される。
また、リールの回転が停止すると、対となる一方のフラップが開放支持突起によって起立状態に保持され、対となるフラップの対向面に描かれた図柄が停止表示される。
【０００５】
【特許文献１】特開２００４−３４４３７９号公報
【特許文献２】特開平６−２４６０４６号公報
【特許文献３】特開平６−２１００４７号公報
【発明の開示】
【発明が解決しようとする課題】
【０００６】
しかしながら、特許文献１、２に記載の遊技機用可変表示装置では、リールの外周面（曲面）に沿って図柄が描かれているので、リールを正面から見たとき、その上下両端側でリール外周面の曲率に起因する図柄の変形が発生し、図柄の視認性が低下する可能性があった。
また、この特許文献１、２記載の遊技機用可変表示装置では、図柄の立体化を試みているが、リールの外周面に沿って描かれた図柄の立体化には限界があり、十分な立体感を得ることは困難であった。
【０００７】
一方、特許文献３に記載される遊技機用可変表示装置では、平坦なフラップに図柄が描かれているので、リール外周面の曲率に起因する図柄の変形は発生しないが、複数のフラップをリール正面でパタパタと反転回動させるため、可変表示状態の視認性が低下する可能性があるだけでなく、リール正面にフラップの反転回動スペースが必要になり、装置の大型化を招くという問題があった。
【０００８】
本発明は、上記の事情にかんがみなされたものであり、リール回転時及び停止時において良好な視認性を確保するとともに、装置の大型化を回避し、更には、図柄の完全な立体化も可能な遊技機用可変表示装置及び遊技機の提供を目的とする。
【課題を解決するための手段】
【０００９】
上記目的を達成するため、本発明の遊技機用可変表示装置は、請求項１に記載するように、外周部に複数の図柄が配列されたリールを有し、当該リールの回転により図柄の可変表示を行う遊技機用可変表示装置であって、前記リールの外周部に、図柄が描かれた図柄部材を吊り下げ状に設けるとともに、当該図柄部材を吊り下げ姿勢に保ちながら、前記リールを回転させる構成としてある。
【００１０】
このようにすると、スロットマシンに備えられる可変表示装置において、リールに設けられた図柄部材が観覧車状に回転するので、リールを正面から見ると、図柄がほぼ真正面を向き、垂直に下降するように可変表示される。
これにより、リール外周面の曲率に起因する図柄の変形を抑制し、図柄の視認性を向上させることができるだけでなく、新規な可変表示方式により、遊技者の注意を引き付けることができる。
また、図柄部材は、遊技者側から表示窓を通して見るときには真正面を向いて垂直落下するので、従来のフラップ式のように反転回動することなく、可変表示状態における視認性の低下や、装置の大型化も回避できる。
【００１１】
また、請求項２に記載するように、前記図柄部材は、所定の吊り下げ姿勢を保つためのウェイト部を備える構成としてある。
特に、図柄部材は、請求項３に記載するように、当該図柄部材の正面部に前記ウェイト部が所定の角度をもって配設される構成としてある。
このようにすると、図柄部材の吊り下げ姿勢を最適化できるだけでなく、図柄部材の揺れや回転を抑制し、図柄の視認性を更に向上させることができる。
【００１２】
また、請求項４に記載するように、前記図柄部材は、前記リールの外周部に備えられた支点に回転可能に吊り下げられるとともに、各図柄部材の回転半径が、隣接する支点間隔のほぼ１／２に設定され、隣接する各図柄部材が干渉せずに配設される構成としてある。
このようにすると、本発明に係る図柄部材を、リールの全周（又は一部）に隣接して配設しても、各図柄部材が互いに干渉することなく、回転可能に吊り下げることができる。
【００１３】
また、請求項５に記載するように、前記図柄部材は、正面に図柄が描かれたプレート部材としてある。
このようにすると、正面に図柄が描かれたプレート部材を用いて、本発明の遊技機用可変表示装置を容易かつ安価に構成することができる。
【００１４】
また、請求項６に記載するように、前記図柄部材は、立体的な図柄を示す立体物としてある。
このようにすると、図柄の完全な立体表現が可能になるので、図柄の視認性が更に向上するだけでなく、遊技者の興趣を誘うことができる。
【００１５】
また、本発明の遊技機は、請求項７に記載するように、外周部に複数の図柄が配列されたリールを有し、当該リールの回転により図柄の可変表示を行う可変表示装置を備える遊技機であって、この可変表示装置が、請求項１乃至６のいずれかに記載の遊技機用可変表示装置からなる構成としてある。
このようにすると、本発明に係る可変表示装置を備えたスロットマシン等の遊技機を提供でき、リール回転時及び停止時において良好な視認性を確保できるだけでなく、装置の大型化を回避でき、更には、図柄の完全な立体表現も可能な遊技機を実現することができる。
【発明の効果】
【００１６】
本発明の遊技機用可変表示装置によれば、リールに設けられた図柄部材が観覧車状に回転し、リールを正面から見ると、図柄が真正面を向き、垂直に下降するように可変表示されるので、リール外周面の曲率に起因する図柄の変形を回避し、図柄の視認性を向上させることができるだけでなく、新規な可変表示方式により、遊技者の注意を引き付けることができる。
また、図柄部材は、ウェイト部を所定の角度をもって備えることで、遊技者側から表示窓を通して見るときには真正面を向いて垂直落下させることができ、従来のフラップ式のように反転回動することなく、可変表示状態における視認性の低下や、装置の大型化も回避できる。
また、図柄部材は、立体物で構成することができるので、図柄の完全な立体化を可能にし、遊技者の興趣を誘うことができる。
さらに、立体物で構成した図柄部材は、吊り下げ部の支点を中心に上下同寸法に形成することで、図柄を構成する立体物を可能な限り大型化することができ、遊技者の視認性を高めるとともに、より斬新で迫力のある可変表示装置を実現することができる。
【発明を実施するための最良の形態】
【００１７】
以下、本発明の遊技機用可変表示装置と、この可変表示装置を備えた遊技機の好ましい実施形態について、図面を参照して説明する。
［スロットマシン（遊技機）］
まず、図１及び図２を参照して、本発明の一実施形態に係る可変表示装置を備えるスロットマシン（遊技機）の構成について説明する。
図１は、本発明の一実施形態に係るスロットマシンを示す正面図、図２は、図１に示す本実施形態に係るスロットマシンの内部構造を示す斜視図である。
【００１８】
これらの図に示すように、本実施形態のスロットマシン１は、複数のリール３１（図２に示すリール３１ａ，３１ｂ，３１ｃ参照）を回転させ、各リール３１に付された図柄（文字，数字，絵柄等）を所定の配列に停止させることによって入賞メダルを獲得することができる回胴式遊技機を構成している。
具体的に説明すると、スロットマシン１は、内部に必要な構成，装置等を収納した筐体状に構成されており、その前面側は、前面パネル２によって開閉自在に覆われるようになっている。
前面パネル２は、図１及び図２に示すように、スロットマシン１に対して開閉自在に取り付けられる扉体であり、スロットマシン１の正面部を構成している。
【００１９】
前面パネル２のほぼ中央部分には、三つの表示窓３（３ａ，３ｂ，３ｃ）が設けられている。
表示窓３は、スロットマシン１の内部に配設された三つのリール（左）３１ａ，リール（中）３１ｂ，リール（右）３１ｃを視認するための窓部で、通常、無色透明又は有色透明な樹脂製パネル等からなり、三つの各リール３１の周囲に描かれた複数の図柄のうち、縦方向に連続して隣接する複数（通常三つ）の図柄をそれぞれ視認，識別できるようになっている。
表示窓３には、通常、複数の入賞ライン表示が描かれており（例えば、５ライン）、入賞ライン表示に沿って停止，配列されたリール３１ａ〜３１ｃの図柄の組合せによって、ゲームの入賞が決定されるようになっている。
【００２０】
前面パネル２の表示窓３の下側には、図１に示すように、スタートレバー４及びストップボタン５が備えられている。
スタートレバー４は、三つの各リール３１の回転を開始させるゲームスタート手段であり、このスタートレバー４が遊技者の操作によって押下されることで、制御部２０にスタート信号が出力され、本体内部の各リール３１ａ〜３１ｃが一斉（又は順次）に回転するようになっている。
また、このスタートレバー４の押下によりスタート信号が入力されることで、制御部２０において内部当たりの抽選が行われるようになっている。
【００２１】
ストップボタン５は、回転するリール３１を停止させる停止操作手段であり、三つのリール（左）３１ａ，リール（中）３１ｂ，リール（右）３１ｃに対応して設けられた三つのストップボタン（左）５ａ，ストップボタン（中）５ｂ，ストップボタン（右）５ｃが備えられている。これらの各ストップボタン５ａ，５ｂ，５ｃが遊技者の任意のタイミングで押下されることで、制御部２０にストップ信号が出力され、対応する各リール３１ａ，３１ｂ，３１ｃの回転が停止されるようになっている。
従って、遊技者がこれらスタートレバー４及びストップボタン５を操作することにより、三つのリール３１ａ〜３１ｃを回転及び停止させて、各リール３１ａ〜３１ｃに付された図柄を所定の入賞配列となるよう揃えるスロットマシン遊技を行うことができる。
【００２２】
リール３１は、外周部に複数（通常２１個）の図柄が配列された円筒状部材からなり、縦方向に回転する三つのリール（左）３１ａ，リール（中）３１ｂ，リール（右）３１ｃが、横方向（左右方向）に一列に並んで配設されている。
各リール３１に備えられる図柄は、各リール３１ごとに等間隔で配設され、例えば「７」や「ＢＡＲ」等の文字や、スロットマシンのキャラクターや果物等を示す絵柄等が所定の順番で表示されており、通常、各リール３１に２１個ずつの図柄が表示されるようになっている。これらのリール３１ａ〜３１ｃの表示図柄が、対応するストップボタン５ａ〜５ｃが押下操作されることで、上述した表示窓３の入賞ライン表示に沿って、例えば「７・７・７」や「ＢＡＲ・ＢＡＲ・ＢＡＲ」等、所定の組合せで停止されることで入賞が決定される。
そして、後述するように、本実施形態では、このリール３１が、観覧車状に回転・落下するプレート形状や立体形状に構成され、図柄が視認し易く、斬新で刺激的なデザインとなるように構成してある（図３参照）。
【００２３】
三つのリール３１ａ〜３１ｃは、スロットマシン１の内部に備えられた制御部２０及びドラムユニット３０により駆動制御及び停止制御されるようになっている。ドラムユニット３０は、三つのリール３１ａ〜３１ｃを回転自在に保持するとともに、スタートレバー４及びストップボタン５ａ〜５ｃが押下操作されることで、制御部２０からパルス（駆動）信号を入力し、対応するリール３１ａ〜３１ｃの回転の始動，定速回転及び停止の制御を行うようになっている。
このドラムユニット３０により、制御部２０で行われる内部当たり抽選の結果に応じてリール３１の停止位置が制御され、遊技者のストップボタン５を押すタイミングに拘わらず、すなわち、各ストップボタン５ａ〜５ｃの押下タイミングがずれていても、一定範囲内（通常、図柄４コマの範囲内）で対応するリール３１ａ〜３１ｃの図柄が特定配列となるよう、リール３１が停止制御されるようになっている。
【００２４】
前面パネル２のスタートレバー４及びストップボタン５の上部近傍には、図１に示すように、メダル投入口６及びメダルＢＥＴスイッチ７が備えられている。
メダル投入口６は、ゲームに使用される遊技媒体となるメダルの受け入れ口であり、このメダル投入口６から投入されるメダル数だけゲームが行えるようになっている。
メダル投入口６の本体内部側には、図２に示すように、メダルセレクタ６ａが備えられ、投入されたメダル数がカウントされ、そのメダル数を示すメダル信号が、制御部２０に出力されるようになっている。
また、メダル投入口６から投入されるメダルの数は、貯留メダル数として制御部２０内に記憶されるようになっており、遊技の開始に先立って、予め複数のメダルを投入して貯留メダルとして貯留，記憶できるようになっている。
【００２５】
メダルＢＥＴスイッチ７は、貯留メダルがある場合に、その貯留メダルの中からゲームに賭けるメダルを投入するための貯溜メダル投入操作手段である。
具体的には、このメダルＢＥＴスイッチ７が押下されると、メダル信号が制御部２０に出力され、押下された回数と同数の貯溜メダルがゲームに賭けられることになる。
なお、メダルＢＥＴスイッチ７としては、一回の押下によって一ゲームに投入可能な最大数のメダルを貯留メダルから投入するＭＡＸ−ＢＥＴスイッチ７ａや、一回の押下で一枚のメダルを貯留メダルから投入する１−ＢＥＴスイッチ７ｂ等の種類がある。
【００２６】
スロットマシン１の下側には、入賞メダル払出し口８及びスピーカ９が備えられている。
入賞メダル払出し口８は、ストップボタン５の押下によって停止されたリール３１が所定の入賞配列となった場合に、当該配列に応じた数量の入賞メダルが払い出されるようになっている。
スピーカ９は、遊技者に対してメロディ音やメッセージ音等の各種の音声を発生するようになっており、本実施形態では、制御部２０で内部当たり抽選が行われ、所定のボーナスゲームに入賞した場合に、それを告知する内部当たり告知音声を発するようになっている。
【００２７】
［ドラムユニット（遊技機用可変表示装置）］
次に、以上のようなスロットマシンに備えられる本発明の一実施形態のドラムユニット（遊技機用可変表示装置）について、図３〜図６を参照して説明する。
図３は、本発明の一実施形態に係るドラムユニットのリールを示す斜視図、図４は、本実施形態に係る立体型図柄部材を示す斜視図、図５は、本実施形態に係るリールの動作を示す全体説明図、図６は、本実施形態に係るリールの動作を示す部分説明図である。
【００２８】
これらの図に示すように、本実施形態のドラムユニット３０においては、リール３１の外周部に、図柄が描かれた複数の図柄部材３２を吊り下げ状に設けるとともに、これらの図柄部材３２を吊り下げ姿勢に保ちながら、リール３１を回転させることによって、図柄の可変表示を行う。
このようにすると、リール３１に設けられた図柄部材３２が観覧車状に回転するので、リール３１を正面から見たとき、図柄部材３２に描かれた図柄がほぼ真正面を向いたまま、垂直に落下するように視認させることができる。これにより、リール外周面の曲率に起因する図柄の変形を抑制し、図柄の視認性を向上させることができるだけでなく、新規な可変表示方式により、遊技者の注意を引き付けることが可能になる。
【００２９】
具体的に説明すると、本実施形態のリール３１は、図３に示すように、リール本体を構成する円筒部３７の外周部から放射方向に突出する左右一対の支持突部３３を複数有しており、左右一対の支持突部３３間に図柄部材３２が配設され、支持突部３３の支点３６を支点として回動自在に吊持されている。
図柄部材３２の支点３６となる回動支持部分の構成は、支持突部３３と図柄部材３２の凹凸嵌合であってもよいし、ピンやシャフト３４（図４参照）などの別部材を用いて構成してもよい。
なお、リール本体を構成する円筒部３７は、不透明に形成され、リール３１の裏面側に位置する図柄部材３２が正面側から見えないようになっている。
【００３０】
各図柄部材３２の回動範囲は、図５及び図６に示すように、互に干渉しないように設定されている。
具体的には、図柄部材３２は、リール外周の支持突部３３に回転可能に吊り下げられるとともに、各図柄部材３２の回転半径が、隣接する各支点３６の間隔のほぼ１／２に設定され、隣接する各図柄部材が干渉しないように配設されるようになっている。このようにすると、図柄部材３２を、リール３１の全周（又は一部）に複数隣接して配設しても、図柄部材３２同士の接触・干渉を回避し、各図柄部材３２の動作を円滑に行うことができる。
【００３１】
図柄部材３２の形状に制限はなく、例えば、図３に示すプレート型図柄部材３２ａや、図３及び図４に示す立体型図柄部材３２ｂとすることができる。
プレート型図柄部材３２ａは、正面に図柄が描かれたプレート部材であり、例えば樹脂成形される。この場合、プレート部材は、表示する図柄に拘わらず同一の金型を用いて成形できるので、本発明の実施形態に係るリール３１を容易かつ安価に構成することができる。
立体型図柄部材３２ｂは、立体的な図柄を示す立体物であり、例えば図柄毎の金型を用いて樹脂成形され、この立体物が、対向する支持突部３３間に架設されたシャフト３４に吊り下げられることで構成できる。このような立体型図柄部材３２ｂによれば、図柄の完全な立体表現が可能になるので、図柄の視認性が更に向上するだけでなく、遊技者の興趣を誘うことができる。
ここで、立体型図柄部材３２ｂは、図４に示すように、吊り下げ部の支点３６（シャフト３４）を中心に上下同寸法に形成されるようになっている（図４に示す「ｈ１＝ｈ２」参照）。これによって、図柄を構成する立体物を可能な限り大型化することができ、遊技者の視認性を高めるとともに、より斬新で迫力のある可変表示装置を実現することができる。
【００３２】
図柄部材３２は、所定の吊り下げ姿勢を保つためのウェイト部３５を備えることが好ましい。特に、軽量で空気抵抗を受けやすいプレート型図柄部材３２ａでは、ウェイト部３５によってリール回転中の吊り下げ姿勢を調整する必要がある。
そして、このようなウェイト部３５を図柄部材３２に設けることにより、図柄部材３２の吊り下げ姿勢を最適化できるだけでなく、図柄部材３２の揺れや回転を抑制し、図柄の視認性を更に向上させることが可能になる。
【００３３】
具体的には、図柄部材３２におけるウェイト部３５の位置は、図柄部材３２に作用する重力と遠心力を考慮して設定され、図３に示すように、図柄部材３２の正面部にウェイト部３５が所定の角度をもって突出・配設される構成としてある。
例えば、図５及び図６に示すプレート型図柄部材３２ａの例では、重力と遠心力がつりあう合力のベクトル方向にウェイト部３５の位置を設定している。ここで、ウェイト部３５を除いたプレート型図柄部材３２ａの重さが無視できるほど軽いものとすると、プレート型図柄部材３２ａに形成されたウェイト部３５は、常に重力と遠心力の合力方向に位置し、プレート型図柄部材３２ａが所定の吊り下げ姿勢に保たれる。
なお、ウェイト部３５は、図柄部材３２の一部を肉厚にして形成したり、針金等のおもりを埋め込んで形成することができる。
【００３４】
本実施形態のリール３１を適用するスロットマシン１では、図柄部材３２を正面側から照射する蛍光灯等の発光手段を前面パネル２の裏面側に備えることが好ましい。このように発光手段をリール３１の正面側に配設すると、既存のリール構造のようにリール内部にバックライトを設ける必要がなくなり、リール構造をより簡略化することができる。
【００３５】
以上のように構成された本実施形態によれば、リール３１の外周部に、図柄が描かれた図柄部材３２を吊り下げ状に設けるとともに、図柄部材３２を吊り下げ姿勢に保ちながら、リール３１を回転させるので、リール３１に設けられた図柄部材３１が観覧車状に回転し、リール３１を正面から見ると、図柄がほぼ真正面を向き、垂直に下降するように可変表示される。
これにより、リール外周面の曲率に起因する図柄の変形を抑制し、図柄の視認性を向上させることができるだけでなく、新規な可変表示方式により、遊技者の注意を引き付けることができる。
また、図柄部材３２は、フラップ式のように反転回動しないので、可変表示状態における視認性の低下や、装置の大型化も回避できる。
【００３６】
また、プレート型図柄部材３２ａのように、正面に図柄が描かれたプレート部材で図柄部材３２を形成すると、本発明に係るリール３１を容易かつ安価に構成することができる。
また、本実施形態のプレート型図柄部材３２ａは、所定の吊り下げ姿勢を保つためのウェイト部３５を備えるので、プレート型図柄部材３２ａの吊り下げ姿勢を最適化できるだけでなく、プレート型図柄部材３２ａの揺れや回転を抑制し、図柄の視認性を更に向上させることができる。
また、立体型図柄部材３２ｂのように、立体的な図柄を示す立体物で図柄部材３２を形成すると、図柄の完全な立体表現が可能になるので、図柄の視認性が更に向上するだけでなく、遊技者の興趣を誘うことができる。
【００３７】
なお、本発明は、上記の実施形態に限定されないことは勿論である。
例えば、上記の実施形態のように、リール３１の外周全域に図柄部材３２を設けるのではなく、図７に示すように、リール３１における外周の一部に図柄部材３２を設け、他の部分に従来通りの図柄を配列してもよい。このようにすると、リール３１の図柄表現が多様化し、遊技者の注意を引き付けることができる。
また、本発明の遊技機用可変表示装置は、スロットマシンに限らず、パチンコ機などの遊技機にも適用できることは言うまでもない。
【産業上の利用可能性】
【００３８】
本発明は、リールの回転により図柄の可変表示を行う遊技機用可変表示装置や、遊技機用可変表示装置を備えるスロットマシン、パチンコ機などの遊技機に適用される。特に、遊技機用可変表示装置に高い視認性が求められるスロットマシンにおいて有用である。
【図面の簡単な説明】
【００３９】
【図１】本発明の一実施形態に係るスロットマシンを示す正面図である。
【図２】本発明の一実施形態に係るスロットマシンの内部構造を示す斜視図である。
【図３】本発明の一実施形態に係るドラムユニットのリールを示す斜視図である。
【図４】本発明の一実施形態に係る立体型図柄部材を示す斜視図である。
【図５】本発明の一実施形態に係るリールの動作を示す全体説明図である。
【図６】本発明の一実施形態に係るリールの動作を示す部分説明図である。
【図７】本発明の他の実施形態に係るドラムユニットのリールを示す斜視図である。
【符号の説明】
【００４０】
１  スロットマシン
２  前面パネル
３  表示窓
４  スタートレバー
５  ストップボタン
２０  制御部
３０  ドラムユニット
３１  リール
３２  図柄部材
３２ａ  プレート型図柄部材
３２ｂ  立体型図柄部材
３３  支持突部
３４  シャフト
３５  ウェイト部
【図１】
2006334209.tif 000003
【図２】
2006334209.tif 000004
【図３】
2006334209.tif 000005
【図４】
2006334209.tif 000006
【図５】
2006334209.tif 000007
【図６】
2006334209.tif 000008
【図７】
2006334209.tif 000009